(57)【特許請求の範囲】
【請求項１】
縦軸（１６）および複数の把持用の窪み（１４）を有する鉛筆であって、前記把持用の窪みの内部輪郭が、前記縦軸に対して横方向の第１の断面において、少なくとも１つの凹部を有し、
前記把持用の窪みの前記内部輪郭が、前記縦軸において前記第１の断面と交差する第２の断面において、少なくとも１つの凸部を有し、
前記複数の把持用の窪みは、前記縦軸方向および鉛筆の円周方向において互いに連続しないように、前記縦軸方向において所定の間隔で鉛筆の表面に設けられていることを特徴とする鉛筆。
【請求項２】
前記第２の断面が前記第１の断面に対して垂直であることを特徴とする請求項１記載の鉛筆。
【請求項３】
前記第１の断面が、前記縦軸との間に２５°≦α≦３５°の角度を有することを特徴とする請求項１または２記載の鉛筆。
【請求項４】
前記凸部が少なくとも部分的に弓形の構成であることを特徴とする請求項１〜３のいずれか一項記載の鉛筆。
【請求項５】
前記把持用の窪み（１４）の前記内部輪郭が、前記縦軸（１６）に対して垂直な断面において、凸部を有することを特徴とする請求項１〜４のいずれか一項記載の鉛筆。
【発明の詳細な説明】
【技術分野】
【０００１】
本発明は、縦軸および把持用の窪みを有する鉛筆であって、把持用の窪みの内部輪郭が、縦軸に対して横方向の第１の断面において少なくとも１つの凹部を有する鉛筆に関する。
【背景技術】
【０００２】
上記に示した種類の鉛筆は、例えば、特許文献１によって知られている。この公知の鉛筆において、把持用の窪みには、例えば、それらが部分的に球形の構成となるよう、球形に切削された頭部が設けられている。換言すれば、公知の鉛筆における把持用の窪みの内部輪郭は、上述の縦軸に対して横方向の第１の断面だけでなく、縦軸において第１の断面と交差する第２の断面においても凹形である。円筒フライスを用いる場合には、公知の鉛筆の把持用の窪みは、縦軸に対して横方向の第１の断面において凹部を有し且つ縦軸において第１の断面と交差する第２の断面において平坦な部分を有する内部輪郭を有する。
【０００３】
鉛筆に把持用の窪みを設けると、把持用の窪みの領域において鉛筆の直径が減少するので、鉛筆の強度が弱くなる。このように強度が弱くなると、一方で鉛筆の安定性に悪影響を及ぼし、他方で鉛筆の握り／握り感に悪影響を及ぼす。
【先行技術文献】
【特許文献】
【０００４】
【特許文献１】独国実用新案第２０２００８００２１０２号明細書
【発明の概要】
【発明が解決しようとする課題】
【０００５】
本発明の目的は、鉛筆の安定性および／または握り／握り感を改善するように、本明細書の冒頭で述べた種類の鉛筆を開発することである。
【課題を解決するための手段】
【０００６】
本発明によれば、本明細書の冒頭で述べた種類の鉛筆において、把持用の窪みの内部輪郭が、縦軸において第１の断面と交差する第２の断面において、少なくとも１つの凸部を有することで、上記目的が達成される。
【０００７】
換言すれば、本発明によれば、把持用の窪みはサドルのような構成を有し、それによって少なくとも部分的に、把持用の窪みを設けることによる鉛筆の強度の弱化を補償する。従って、鉛筆の安定性および／または握り／握り感が改善される。この凸部は、問題の断面における把持用の窪みの内部輪郭全体にわたって延在し得る。
【０００８】
本発明によれば、第２の断面は、第１の断面に対して垂直であるのが好ましい。これは、切削工具を用いた把持用の窪みの形成に関して有利である。
【０００９】
以上の記載において、把持用の窪みの内部輪郭が少なくとも１つの凹部を有する第１の断面が、縦軸に対して横方向に設けられていることを参照する場合、これは縦軸に対して垂直な断面のみを意味するのではない。むしろ、「横方向に」という用語は、人間工学的に適切な全ての向きを表わす。
【００１０】
しかし、本発明による人間工学的最適化のために、第１の断面は、縦軸との間に２５°≦α≦３５°、好ましくは２７°≦α≦３３°、更に好ましくは２９°≦α≦３１°の角度を有するのが好ましい。角度αの向きは、鉛筆が右利きの人用であるかまたは左利きの人用であるかによって異なる。
【００１１】
人間工学的な態様を更に改善するために、凸部は少なくとも部分的に弓形の構成、好ましくは円弧の構成を有し得る。
【００１２】
最後に、本発明によれば、把持用の窪みの内部輪郭は、縦軸に対して垂直な断面において、凸部を有するのが更に好ましい。この部分も、把持用の窪みの内部輪郭全体にわたって延在し得る。
【図面の簡単な説明】
【００１３】
【図１】図１（ａ）〜（ｃ）は本発明の一実施形態による右利きの人用の鉛筆を６０°ずつ回転させて示す図であり、図１（ｄ）は図１（ｃ）の線Ｇ−Ｈに沿った断面図
【図２】図１（ｃ）の線Ａ−Ｂに沿った拡大断面図
【図３】図１（ｃ）の線Ｃ−Ｄに沿った拡大断面図
【図４】図４（ａ）〜（ｃ）は左利きの人用の実施形態の図１（ａ）〜（ｃ）と同様の図
【図５】図５（ａ）は図１〜３（右利きの人用）の鉛筆の斜視図であり、図５（ｂ）は図４（左利きの人用）の鉛筆の斜視図
【発明を実施するための形態】
【００１４】
以下、添付の図面を参照し、例として、好ましい実施形態を用いて、本発明をより完全に説明する。
【００１５】
図１〜３に示されている鉛筆は、鉛筆の芯１０と芯ケース１２とを有する。芯ケース１２には多くの把持用の窪みが設けられており、その１つを例として参照番号１４で示す。
【００１６】
図２は断面図であり、この断面は、鉛筆の縦軸１６との間に３０°の角度αを有する。図３の断面は図２の断面に対して垂直である。
【００１７】
図２に示されるように、把持用の窪み１４は、図２に示されている第１の断面の図では、凹形の内部輪郭を有する。これは具体的には円弧の形状である。これに対して、図３に示されるように、第１の断面に対して垂直な第２の断面の図においては、把持用の窪み１４の内部輪郭は凸形である。しかし、この実施形態においては、これも円弧の形状でもあることに留意されたい。
【００１８】
また、これは図示されていないが、把持用の窪み１４の内部輪郭は、縦軸１６に対して垂直な断面において凸部を有する。
【００１９】
上記で詳細を述べた把持用の窪み１４および場合によっては他の把持用の窪みの構成は、把持用の窪みの形成に関連する鉛筆の強度の弱化を最小限にする。更に、把持用の窪みを有する従来の鉛筆よりも、鉛筆の握り／握り感が改善される。
【００２０】
上記の説明、特許請求の範囲および図面で開示される本発明の特徴は、個々にまたは任意の組み合わせにおいて、様々な実施形態で本発明を実施するために必須のものであり得る。
【符号の説明】
【００２１】
１０  鉛筆の芯
１２  ケース
１４  把持用の窪み
１６  鉛筆の縦軸
【図１（ａ）】
0005592938.tif 000002
【図１（ｂ）】
0005592938.tif 000003
【図１（ｃ）】
0005592938.tif 000004
【図１（ｄ）】
0005592938.tif 000005
【図２】
0005592938.tif 000006
【図３】
0005592938.tif 000007
【図４（ａ）】
0005592938.tif 000008
【図４（ｂ）】
0005592938.tif 000009
【図４（ｃ）】
0005592938.tif 000010
【図５（ａ）】
0005592938.tif 000011
【図５（ｂ）】
0005592938.tif 000012